(57)【要約】【課題】美観を向上できるテレビジョン受像装置を提供する。【解決手段】一つの実施の形態に係るテレビジョン受像装置は、ディスプレイと、筐体と、複数の電子部品とを備える。前記ディスプレイは、画像を表示する表示面を有する。前記筐体は、前記ディスプレイを収容する。前記複数の電子部品は、前記筐体に収容される。前記筐体は、第１のカバーと、第２のカバーと、第３のカバーとを有する。前記第１のカバーは、前記表示面を露出させる表示開口を有する。前記第２のカバーは、前記第１のカバーに取り付けられ、前記電子部品を露出させるとともに当該電子部品が通過可能な複数の開口部が設けられた被覆面を有する。前記第３のカバーは、前記第２のカバーに取り付けられ、前記被覆面の少なくとも一部と前記複数の開口部とを覆い隠す。【選択図】    図２
2014216776.tif 000002
【特許請求の範囲】
【請求項１】
画像を表示する表示面を有するディスプレイと、
前記ディスプレイを収容する筐体と、
前記筐体に収容された複数の電子部品と、
前記筐体に収容され、前記筐体内部に空気の流れを生じさせるファンと、
前記ディスプレイおよび前記筐体を支持するスタンドと、
前記筐体に収容された、ケースを有する部品と、
を具備し、
前記筐体は、
前記表示面を露出させる表示開口を有する第１のカバーと、
前記第１のカバーに取り付けられ、前記電子部品を露出させるとともに当該電子部品が通過可能な複数の開口部、前記ファンが生じさせた空気の流れが通過する第１の通気口、および、孔、が設けられた被覆面と、第１の係合部と、前記部品を露出させる第１の露出部と、を有する第２のカバーと、
一つの前記開口部を塞ぐ蓋部と、
前記孔に挿通され、前記第２のカバーを前記第１のカバーに固定する固定部材と、
前記第１の係合部に係合する第２の係合部と、前記部品を露出させる第２の露出部と、を有し、前記第１の係合部と前記第２の係合部との係合のみによって前記第２のカバーに取り付けられ、前記被覆面の少なくとも一部と、前記複数の開口部と、前記孔と、前記蓋部と、を覆い隠し、前記第１の通気口に連通する第２の通気口が設けられた第３のカバーと、
前記第２のカバーに取り付けられ、前記第１の露出部および前記第２の露出部を塞ぎ、前記ケースを有する部品に面するとともに前記第３のカバーよりも軟らかい緩衝部を有する第４のカバーと、
を有し、
前記スタンドは、前記被覆面から突出して前記第２の露出部を通り、
前記ケースを有する部品は、前記筐体の下端部と、前記被覆面から前記スタンドが突出する位置と、の間に位置し、
前記第３のカバーの前記第２の露出部は、前記第３のカバーの外縁に解放される切欠きである、テレビジョン受像装置。
【請求項２】
画像を表示する表示面を有するディスプレイと、
前記ディスプレイを収容する筐体と、
前記筐体に収容された複数の電子部品と、
を具備し、
前記筐体は、
前記表示面を露出させる表示開口を有する第１のカバーと、
前記第１のカバーに取り付けられ、前記電子部品を露出させるとともに当該電子部品が通過可能な複数の開口部が設けられた被覆面を有する第２のカバーと、
前記第２のカバーに取り付けられ、前記被覆面の少なくとも一部と前記複数の開口部とを覆い隠す第３のカバーと、
を有する、電子機器。
【請求項３】
前記筐体に収容され、前記筐体内部に空気の流れを生じさせるファンをさらに具備し、
前記第２のカバーの前記被覆面に、前記ファンが生じさせた空気の流れが通過する第１の通気口が設けられ、
前記第３のカバーに、前記第１の通気口に連通する第２の通気口が設けられる、請求項２に記載の電子機器。
【請求項４】
前記第２のカバーは第１の係合部を有し、
前記第３のカバーは前記第１の係合部に係合する第２の係合部を有し、前記第１の係合部と前記第２の係合部との係合のみによって前記第２のカバーに取り付けられる、請求項３に記載の電子機器。
【請求項５】
前記被覆面から突出し、前記ディスプレイおよび前記筐体を支持するスタンドと、
前記筐体に収容され、前記筐体の下端部と、前記被覆面から前記スタンドが突出する位置と、の間に位置する、ケースを有する部品と、
をさらに具備する請求項４に記載の電子機器。
【請求項６】
前記第２のカバーに取り付けられる第４のカバーをさらに具備し、
前記第２のカバーは、前記部品を露出させる第１の露出部を有し、
前記第３のカバーは、前記部品を露出させる第２の露出部を有し、
前記第４のカバーは、前記第１の露出部および前記第２の露出部の少なくとも一部を塞ぐ、請求項５に記載の電子機器。
【請求項７】
前記第２のカバーを前記第１のカバーに固定する固定部材をさらに具備し、
前記第２のカバーの前記被覆面は、前記固定部材が挿通する孔を有し、
前記第３のカバーは、前記孔を覆い隠す、請求項６に記載の電子機器。
【請求項８】
少なくとも一つの前記開口部を塞ぐとともに、前記第３のカバーに覆われる蓋部をさらに具備する請求項７に記載の電子機器。
【請求項９】
前記第３のカバーの前記第２の露出部は、前記第３のカバーの外縁に開放される切欠きであり、
前記スタンドは、前記第２の露出部を通る、請求項８に記載の電子機器。
【請求項１０】
前記第４のカバーは、前記ケースを有する部品に面するとともに前記第３のカバーよりも軟らかい緩衝部を有する請求項８に記載の電子機器。
【発明の詳細な説明】
【技術分野】
【０００１】
本発明の実施形態は、テレビジョン受像装置および電子機器に関する。
【背景技術】
【０００２】
テレビジョン受像装置のような電子機器は、筐体と、当該筐体に収容される種々の部品を有する。
【先行技術文献】
【特許文献】
【０００３】
【特許文献１】特開２００６−２１６０５０号公報
【発明の概要】
【発明が解決しようとする課題】
【０００４】
筐体は、電子機器の美観に影響する。  
本発明が解決しようとする課題の一つは、美観を向上できるテレビジョン受像装置および電子機器を提供することにある。
【課題を解決するための手段】
【０００５】
一つの実施の形態に係るテレビジョン受像装置は、ディスプレイと、筐体と、複数の電子部品と、ファンと、スタンドと、ケースを有する部品と、を備える。前記ディスプレイは、画像を表示する表示面を有する。前記筐体は、前記ディスプレイを収容する。前記複数の電子部品は、前記筐体に収容される。前記ファンは、前記筐体に収容され、前記筐体内部に空気の流れを生じさせる。前記スタンドは、前記ディスプレイおよび前記筐体を支持する。前記ケースを有する部品は、前記筐体に収容される。前記筐体は、第１のカバーと、第２のカバーと、蓋部と、固定部材と、第３のカバーと、第４のカバーと、を有する。前記第１のカバーは、前記表示面を露出させる表示開口を有する。前記第２のカバーは、前記第１のカバーに取り付けられ、前記電子部品を露出させるとともに当該電子部品が通過可能な複数の開口部、前記ファンが生じさせた空気の流れが通過する第１の通気口、および、孔、が設けられた被覆面と、第１の係合部と、前記部品を露出させる第１の露出部と、を有する。前記蓋部は、一つの前記開口部を塞ぐ。前記固定部材は、前記孔に挿通され、前記第２のカバーを前記第１のカバーに固定する。前記第３のカバーは、前記第１の係合部に係合する第２の係合部と、前記部品を露出させる第２の露出部と、を有し、前記第１の係合部と前記第２の係合部との係合のみによって前記第２のカバーに取り付けられ、前記被覆面の少なくとも一部と、前記複数の開口部と、前記孔と、前記蓋部と、を覆い隠し、前記第１の通気口に連通する第２の通気口が設けられる。前記第４のカバーは、前記第２のカバーに取り付けられ、前記第１の露出部および前記第２の露出部を塞ぎ、前記ケースを有する部品に面するとともに前記第３のカバーよりも軟らかい緩衝部を有する。前記スタンドは、前記被覆面から突出して前記第２の露出部を通る。前記ケースを有する部品は、前記筐体の下端部と、前記被覆面から前記スタンドが突出する位置と、の間に位置する。前記第３のカバーの前記第２の露出部は、前記第３のカバーの外縁に解放される切欠きである。
【図面の簡単な説明】
【０００６】
【図１】第１の実施の形態に係るテレビジョン受像装置を示す正面図。
【図２】第１の実施形態のテレビを示す背面図。
【図３】第１の実施形態のテレビを右方から示す側面図。
【図４】第１の実施形態のテレビを左方から示す側面図。
【図５】第１の実施形態のテレビを上方から示す平面図。
【図６】第１の実施形態のテレビを下方から示す平面図。
【図７】第１の実施形態のメインリアカバーおよびサブリアカバーを除いて示すテレビの背面図。
【図８】第１の実施形態のリアフレームを除いてテレビの内部を示す背面図。
【図９】第１の実施形態のテレビの一部を示す断面図。
【図１０】第１の実施形態のメインリアカバーを示す正面図。
【発明を実施するための形態】
【０００７】
以下に、第１の実施の形態について、図１から図１０を参照して説明する。なお、本明細書において、手前側（すなわちユーザ側）を前方、ユーザから見て遠い側を後方、ユーザから見て左側を左方、ユーザから見て右側を右方、ユーザから見て上側を上方、ユーザから見て下側を下方と定義する。さらに、複数の表現が可能な各要素に、一つ以上の他の表現の例を付すことがある。しかし、これは、他の表現が付されていない要素について異なる表現がされることを否定するものではないし、例示されていない他の表現がされることを制限するものでもない。また、各図面は実施形態を概略的に示すものであり、各図面に示される各要素の寸法、形状、および配置は、実施形態の説明および他の図面と異なることがある。
【０００８】
図１は、第１の実施の形態に係るテレビジョン受像装置（以下、テレビと称する）１を示す正面図である。図２は、テレビ１を示す背面図である。図３は、テレビ１を右方から示す側面図である。図４は、テレビ１を左方から示す側面図である。図５は、テレビ１を上方から示す平面図である。図６は、テレビ１を下方から示す平面図である。
【０００９】
テレビ１は、電子機器の一例である。電子機器はこれに限らず、例えば、パーソナルコンピュータ、表示装置（モニタ）、携帯電話、スマートフォン、ゲーム機、またはカーナビゲーションシステムのような、種々の機器であっても良い。
【００１０】
図１に示すように、テレビ１は、液晶テレビである。テレビ１は、テレビジョン受像装置だけでなく、パーソナルコンピュータとしても用いられる。例えば、テレビ１は、ユーザの操作によって、テレビジョン受像装置としてのプログラム、またはパーソナルコンピュータ用のオペレーションシステムを起動させる。なお、テレビ１は、テレビジョン受像装置としての機能のみを有しても良い。
【００１１】
テレビ１は、筐体１０と、液晶ディスプレイ（ＬＣＤ）１１と、第１のスタンド１２と、第２のスタンド１３と、を備えている。筐体１０は、カバー、キャビネット、外装部、外殻、または壁部のようにも称され得る。第１のスタンド１２は、前方スタンドのようにも称され得る。第２のスタンド１３は、スタンドの一例であり、後方スタンド、支持部、または脚部のようにも称され得る。
【００１２】
ＬＣＤ１１は、ディスプレイの一例であり、表示部、部品、モジュール、またはユニットのようにも称され得る。ディスプレイは、ＬＣＤ１１に限らず、例えば有機ＥＬディスプレイのような他のディスプレイであっても良い。
【００１３】
ＬＣＤ１１は、矩形の板状に形成され、画像を表示する表示面１１ａを有している。なお、本明細書において、画像とは、動画および静止画を含む。ＬＣＤ１１は、筐体１０に収容されている。
【００１４】
筐体１０は、表示面１１ａの少なくとも一部を露出させる表示開口１０ａを有している。表示開口１０ａは、例えば透明なガラスまたはアクリル板によって塞がれている。ユーザは、当該ガラスまたはアクリル板と、表示開口１０ａとを通して、表示面１１ａに表示された画像を見ることができる。
【００１５】
ＬＣＤ１１は、タッチパネルを有している。ユーザは、例えば、前記ガラスまたはアクリル板越しにＬＣＤ１１の表示面１１ａに触れることで、テレビ１を操作することができる。
【００１６】
図３に示すように、筐体１０は、フロントカバー２１と、リアフレーム２２と、メインリアカバー２３とを有している。さらに、図２に示すように、筐体１０は、サブリアカバー２４を有している。なお、図２は、サブリアカバー２４を示すために、第２のスタンド１３の一部を二点鎖線で示す。
【００１７】
フロントカバー２１は、第１のカバーの一例である。リアフレーム２２は、第２のカバーの一例である。メインリアカバー２３は、第３のカバーの一例である。サブリアカバー２４は、第４のカバーの一例である。フロントカバー２１、リアフレーム２２、メインリアカバー２３、およびサブリアカバー２４は、それぞれ、カバー、キャビネット、外装部、外殻、または壁部のようにも称され得る。
【００１８】
図１に示すように、フロントカバー２１は、筐体１０の前面を形成する。フロントカバー２１は、上記の表示開口１０ａを有している。さらに、フロントカバー２１に、電源ボタン２６、信号受信部２７、およびカメラ用開口２８が設けられている。電源ボタン２６は、例えばテレビ１の起動に用いられる。信号受信部２７は、例えばリモートコントロール装置が発する赤外線信号を受信する。カメラ用開口２８は、筐体１０に収容されるカメラのレンズを露出させている。
【００１９】
図７は、メインリアカバー２３およびサブリアカバー２４を除いて示すテレビ１の背面図である。図７に示すように、リアフレーム２２は、筐体１０の下端部１０ｂと、上端部１０ｃと、左端部と、右端部とを形成する。言い換えると、リアフレーム２２は、フロントカバー２１の外縁から突出する筐体１０の周壁を有する。筐体１０の下端部１０ｂは、テレビ１が例えば机の天面（載置面）に置かれたときに、当該載置面に面する。
【００２０】
リアフレーム２２は、例えば、複数のネジ３１によってフロントカバー２１に固定されている。組み合わされたフロントカバー２１とリアフレーム２２との内部に、種々の部品を収容するスペースが形成される。
【００２１】
リアフレーム２２は、壁部３４を有している。壁部３４は、フロントカバー２１およびＬＣＤ１１に面している。ＬＣＤ１１は、フロントカバー２１と壁部３４との間に位置している。
【００２２】
壁部３４は、被覆面３４ａを有している。被覆面３４ａは、テレビ１の外側に向く面である。言い換えると、被覆面３４ａは、フロントカバー２１の反対側に向いている。被覆面３４ａは、平面に限らず、例えば、曲面または凹凸を有する面であっても良い。
【００２３】
被覆面３４ａに、複数のネジ孔３７が設けられている。ネジ孔３７は、孔の一例であり、例えば、穴、開口、または挿通口のようにも称され得る。ネジ３１は、ネジ孔３７に挿通され、リアフレーム２２をフロントカバー２１にネジ止めする。
【００２４】
リアフレーム２２はさらに、メモリ開口部４１と、ストレージ開口部４２と、ＲＴＣバッテリ開口部４３と、受信機開口部４４と、スタンド開口部４５と、コネクタ開口部４６と、吸気口４７と、第１の排気口４８と、を有している。
【００２５】
メモリ開口部４１、ＲＴＣバッテリ開口部４３、および受信機開口部４４は、複数の開口部の一例である。ストレージ開口部４２は、開口部の一例であるとともに、第１の露出部の一例である。第１の排気口４８は、第１の通気口の一例である。
【００２６】
メモリ開口部４１、ストレージ開口部４２、ＲＴＣバッテリ開口部４３、受信機開口部４４、スタンド開口部４５、コネクタ開口部４６、および第１の排気口４８は、壁部３４の被覆面３４ａに設けられている。吸気口４７は、筐体１０の下端部１０ｂに形成されている。
【００２７】
メモリ開口部４１、ストレージ開口部４２、ＲＴＣバッテリ開口部４３、受信機開口部４４、スタンド開口部４５、コネクタ開口部４６、吸気口４７、および第１の排気口４８は、フロントカバー２１とリアフレーム２２との内部に形成される前記スペースに開口している。
【００２８】
図８は、リアフレーム２２を除いてテレビ１の内部を示す背面図である。図８に示すように、テレビ１は、スタンド取付部５１と、プリント回路板（ＰＣＢ）５２と、ハードディスクドライブ（ＨＤＤ）５３と、受信機５４と、テレビ基板５５と、光学ディスクドライブ（ＯＤＤ）５６と、タッチパネル制御基板５７と、サブ基板５８と、一対のスピーカ６１と、ファン６２とを有している。ＨＤＤ５３は、電子部品およびケースを有する部品の一例である。受信機５４は、電子部品の一例である。
【００２９】
スタンド取付部５１、ＰＣＢ５２、ＨＤＤ５３、受信機５４、テレビ基板５５、ＯＤＤ５６、タッチパネル制御基板５７、サブ基板５８、一対のスピーカ６１、およびファン６２は、筐体１０に収容されるとともに、ＬＣＤ１１の背面１１ｂに重ねられている。ＬＣＤ１１の背面１１ｂは、表示面１１ａの反対側に位置している。
【００３０】
ＰＣＢ５２は、実装面６５を有している。実装面６５は、ＬＣＤ１１の反対側に向いている。言い換えると、実装面６５は、リアフレーム２２の壁部３４に面している。
【００３１】
ＰＣＢ５２の実装面６５に、ＣＰＵ７１と、二つのメモリ７２と、ＴＶチューナ７３と、ＲＴＣバッテリ７４と、複数のコネクタ７５とが実装されている。メモリ７２およびＲＴＣバッテリ７４は、電子部品の一例である。
【００３２】
スタンド取付部５１は、ＬＣＤ１１の背面１１ｂの略中央部に取り付けられた金属板である。スタンド取付部５１は、ヒンジ部７８を有している。図７に示すように、ヒンジ部７８に、第２のスタンド１３の一端が回動可能に取り付けられている。
【００３３】
スタンド開口部４５は、スタンド取付部５１に対応した位置に設けられている。スタンド開口部４５は、スタンド取付部５１の一部を露出させる。第２のスタンド１３は、スタンド開口部４５を通って、壁部３４の被覆面３４ａから突出する。すなわち、スタンド開口部４５は、被覆面からスタンドが突出する位置の一例である。
【００３４】
第２のスタンド１３は、矩形の板状に形成されている。第２のスタンド１３は、テレビ１の下方に向かって延びている。言い換えると、第２のスタンド１３は、スタンド取付部５１と筐体１０の下端部１０ｂとの間に位置する部品を覆うように延びている。
【００３５】
図８に示すように、ＰＣＢ５２は、スタンド取付部５１の左方（図８における右方）に配置されている。ＰＣＢ５２は、筐体１０の略下端から略上端に亘って設けられている。ＰＣＢ５２は、例えば複数のケーブルによって、ＨＤＤ５３、受信機５４、テレビ基板５５、ＯＤＤ５６、タッチパネル制御基板５７、サブ基板５８、スピーカ６１、およびファン６２に接続されている。
【００３６】
二つのメモリ７２は、少なくとも一部が重ねられて、ＰＣＢ５２に取り外し可能に実装されている。図７に示すように、メモリ開口部４１は、メモリ７２に対応した位置に設けられている。メモリ開口部４１は、メモリ７２の少なくとも一部を露出させる。メモリ開口部４１は、メモリ７２が通過可能な大きさに形成されている。なお、メモリ開口部４１は、メモリ７２より大きい必要はなく、例えば壁部３４に対して傾けられたメモリ７２が通行できればよい。
【００３７】
図９は、メモリ７２周辺におけるテレビ１の一部を示す断面図である。図９に示すように、リアフレーム２２の壁部３４に、蓋部８１が取り付けられている。蓋部８１は、例えば可撓性を有する矩形のシートである。
【００３８】
蓋部８１の一つの端部は、両面テープ８２によって壁部３４の内面３４ｂに固定されている。壁部３４の内面３４ｂは、被覆面３４ａの反対側に位置している。蓋部８１は、筐体１０の内側から、メモリ開口部４１を覆っている。これにより、蓋部８１は、メモリ開口部４１によって露出されるメモリ７２を覆い隠す。
【００３９】
蓋部８１は、曲げられることで、メモリ開口部４１を通ってリアフレーム２２の外に出ることができる。蓋部８１をリアフレーム２２の外に引き出すことで、メモリ７２をメモリ開口部４１によって露出させることができる。
【００４０】
蓋部８１は、タブ８４を有している。タブ８４は、壁部３４に貼り付けられた蓋部８１の端部の反対側に位置する端部に設けられている。壁部３４は、タブ８４に対応する位置に設けられた係止孔８５を有している。タブ８４は、係止孔８５に挿通される。これにより、蓋部８１がメモリ開口部４１を覆った状態で保持される。
【００４１】
図７に示すように、ＲＴＣバッテリ７４は、円板状の電池であり、ＰＣＢ５２に取り外し可能に取り付けられている。ＲＴＣバッテリ開口部４３は、ＲＴＣバッテリ７４に対応する位置に設けられている。ＲＴＣバッテリ開口部４３は、ＲＴＣバッテリ７４を露出させる。ＲＴＣバッテリ開口部４３は、ＲＴＣバッテリ７４が通過可能な大きさに形成されている。
【００４２】
複数のコネクタ７５は、例えば、アンテナ線用端子、ＵＳＢコネクタ、およびＨＤＭＩコネクタである。コネクタ開口部４６は、複数のコネクタ７５に対応する位置に設けられている。複数のコネクタ７５は、コネクタ開口部４６によって露出される。
【００４３】
ＨＤＤ５３は、テレビ１の高さ方向（筐体１０の下端部１０ｂから上端部１０ｃに向かう方向）において、筐体１０の下端部１０ｂと、スタンド取付部５１およびスタンド開口部４５との間に位置している。
【００４４】
ＨＤＤ５３は、例えば、基板、複数の磁気ディスク、および当該磁気ディスクから情報を読み取る部品が、ケースに収容された部品である。ケースを有する部品はＨＤＤ５３に限らず、例えばＳＳＤのような他の部品であっても良い。
【００４５】
ストレージ開口部４２は、ＨＤＤ５３に対応する位置に設けられている。ストレージ開口部４２は、ＨＤＤ５３を露出させる。ストレージ開口部４２は、ＨＤＤ５３が通過可能な大きさに形成されている。
【００４６】
受信機５４は、例えばキーボードおよびマウスの無線信号を受信する。受信機開口部４４は、受信機５４に対応する位置に設けられている。受信機開口部４４は、受信機５４を露出させる。受信機開口部４４は、受信機５４が通過可能な大きさに形成されている。
【００４７】
図８に示すように、サブ基板５８は、テレビ１の前記高さ方向において、ＨＤＤ５３と、筐体１０の下端部１０ｂとの間に配置されている。サブ基板５８に、ＨＤＭＩコネクタ８６と、二つのカードコネクタ８７とが実装されている。なお、サブ基板５８に実装される部品はこれに限らない。
【００４８】
ＨＤＭＩコネクタ８６は、二つのカードコネクタ８７の間に配置されている。二つのカードコネクタ８７に、例えばＢ−ＣＡＳカードが挿入される。図６に示すように、カードコネクタ８７のスロットは、筐体１０の下端部１０ｂに開口している。
【００４９】
図８に示すように、ファン６２は、スタンド取付部５１の上方に配置されている。ファン６２は、例えばヒートパイプによって、ＣＰＵ７１に熱的に接続されている。ファン６２は、筐体１０の内部に空気の流れを生じさせる。ファン６２は、下方、左方、および右方から空気を吸い込むとともに、上方に向かって空気を吹き出す。
【００５０】
ＰＣＢ５２の一部、テレビ基板５５、ＯＤＤ５６、タッチパネル制御基板５７、サブ基板５８、スピーカ６１、ファン６２、ＣＰＵ７１、およびＴＶチューナ７３は、リアフレーム２２によって覆い隠されている。なお、これらの部品が、例えばリアフレーム２２に設けられた孔によって露出されても良い。
【００５１】
図２に示すように、メインリアカバー２３およびサブリアカバー２４は、リアフレーム２２の被覆面３４ａに取り付けられている。このため、メインリアカバー２３およびサブリアカバー２４は、被覆面３４ａを覆い隠す。
【００５２】
図１０は、メインリアカバー２３を示す正面図である。なお、図１０は、サブリアカバー２４を二点鎖線で示している。図１０に示すように、メインリアカバー２３は、複数の爪８８を有している。爪８８は、第１の係合部の一例である。
【００５３】
図７に示すように、リアフレーム２２の被覆面３４ａに、複数の係合孔８９が設けられている。係合孔８９は、第２の係合部の一例である。メインリアカバー２３は、爪８８を対応する係合孔８９に係合させることで、被覆面３４ａに取り付けられている。メインリアカバー２３は、爪８８と係合孔８９との係合のみによってリアフレーム２２に取り付けられる。
【００５４】
図２に示すように、メインリアカバー２３は、複数のネジ孔３７、メモリ開口部４１、ストレージ開口部４２の一部、ＲＴＣバッテリ開口部４３、受信機開口部４４、スタンド開口部４５の一部、係止孔８５、および複数の係合孔８９を覆い隠す。メインリアカバー２３は、さらに、図９に示すように、メモリ開口部４１を覆う蓋部８１を覆い隠す。
【００５５】
図２に示すように、メインリアカバー２３は、コネクタ露出口９１を有している。コネクタ露出口９１は、複数のコネクタ７５に対応した位置に設けられた開口部である。複数のコネクタ７５は、リアフレーム２２のコネクタ開口部４６と、メインリアカバー２３のコネクタ露出口９１とによって露出されている。言い換えると、コネクタ開口部４６とコネクタ露出口９１とは連通している。
【００５６】
メインリアカバー２３は、ストレージ露出口９３をさらに有している。ストレージ露出口９３は、第２の露出部の一例である。ストレージ露出口９３は、メインリアカバー２３の下端２３ａから、メインリアカバー２３の略中央部に亘って延びる矩形状の切欠きである。言い換えると、ストレージ露出口９３は、メインリアカバー２３の外縁に開放される切欠きである。
【００５７】
ストレージ露出口９３は、スタンド取付部５１およびＨＤＤ５３に対応する位置に設けられている。ストレージ露出口９３は、スタンド取付部５１の一部と、ＨＤＤ５３の一部とを露出させる。言い換えると、ストレージ露出口９３は、リアフレーム２２のストレージ開口部４２およびスタンド開口部４５に連通している。壁部３４の被覆面３４ａから突出する第２のスタンド１３は、ストレージ露出口９３を通過する。
【００５８】
メインリアカバー２３は、第２の排気口９５をさらに有している。第２の排気口９５は、リアフレーム２２の第１の排気口４８に対応する位置に設けられている。第２の排気口９５は、第１の排気口４８に連通している。
【００５９】
第１および第２の排気口４８，９５は、筐体１０の上端部１０ｃの近くに設けられている。言い換えると、第１および第２の排気口４８，９５は、筐体１０の前記高さ方向において、筐体１０の上端部１０ｃと、ファン６２との間に位置している。
【００６０】
サブリアカバー２４は、ストレージ露出口９３に嵌め込まれる。サブリアカバー２４は、メインリアカバー２３と同様に、爪と係合孔との係合のみによって、リアフレーム２２に取り付けられる。
【００６１】
サブリアカバー２４は、ストレージ開口部４２の一部と、ストレージ露出口９３の一部とを塞ぐ。サブリアカバー２４は、ストレージ露出口９３に嵌め込まれることで、第２のスタンド１３が通る孔を形成する。
【００６２】
サブリアカバー２４は、コネクタ用孔９７を有している。コネクタ用孔９７は、サブ基板５８のＨＤＭＩコネクタ８６に対応する位置に設けられている。コネクタ用孔９７は、ＨＤＭＩコネクタ８６を露出させている。
【００６３】
サブリアカバー２４に、第２のスタンド１３が重なる。サブリアカバー２４の幅は、第２のスタンド１３の幅と大よそ等しい。言い換えると、サブリアカバー２４の一対の側縁２４ａは、第２のスタンド１３の一対の側縁１３ａと、大よそ重なる位置に設けられている。
【００６４】
図７に示すように、第１のスタンド１２は、リアフレーム２２に固定されている。第１のスタンド１２は、リアフレーム２２から下方に向かって延びる部分と、筐体１０の下端部１０ｂに沿って延びる部分とを有している。
【００６５】
第１のスタンド１２および第２のスタンド１３は、前記載置面に当接し、筐体１０と、筐体１０に収容されたＬＣＤ１１のような部品と、を支持する。言い換えると、第１のスタンド１２および第２のスタンド１３は、テレビ１の本体部分を支持している。
【００６６】
筐体１０の内部は、ファン６２によって、例えば以下のように冷却される。ファン６２は、前記ヒートパイプを介して、ＣＰＵ７１を冷却する。さらに、ファン６２は、筐体１０の内部に空気の流れを生じさせることで、筐体１０の内部の種々の電子部品を冷却する。
【００６７】
図８に矢印で示すように、ファン６２が駆動すると、ファン６２に向かう空気の流れ（吸気）ＡＦ１，ＡＦ２，ＡＦ３が生じる。なお、ファン６２によって生じる空気の流れはＡＦ１，ＡＦ２，ＡＦ３に限らない。
【００６８】
空気の流れＡＦ１，ＡＦ２，ＡＦ３は、筐体１０の下端部１０ｂに設けられた吸気口４７から、筐体１０の内部に流入する。ある空間において、冷たい空気は下方に存在し、暖かい空気は上方に存在する。このため、比較的冷たい空気が筐体１０の内部に流入する。
【００６９】
空気の流れＡＦ１は、サブ基板５８および壁部３４の間の隙間と、ＨＤＤ５３および壁部３４の間の隙間と、スタンド取付部５１および壁部３４の間の隙間とを通り、ファン６２に流れ込む。空気の流れＡＦ１は、ＨＤＤ５３のような発熱する電子部品を冷却する。
【００７０】
空気の流れＡＦ２は、テレビ基板５５の上、およびタッチパネル制御基板５７の近くを通り、ファン６２に流れ込む。空気の流れＡＦ２は、テレビ基板５５に設けられたチューナのような、発熱する電子部品を冷却する。
【００７１】
空気の流れＡＦ３は、ＰＣＢ５２の上を通り、ファン６２に流れ込む。空気の流れＡＦ３は、ＣＰＵ７１、メモリ７２、およびＴＶチューナ７３のような、発熱する電子部品を冷却する。
【００７２】
ファン６２は、さらに、ファン６２から放出される空気の流れ（排気）ＡＦ４を生じさせる。空気の流れＡＦ４は、リアフレーム２２の第１の排気口４８と、メインリアカバー２３の第２の排気口９５とを通過し、筐体１０の外に排出される。このように、テレビ１は、筐体１０の下端部１０ｂに設けられた吸気口４７から空気を吸引し、筐体１０の上端部１０ｃに設けられた第１および第２の排気口４８，９５から空気を排出する。
【００７３】
メモリ開口部４１、ストレージ開口部４２、ＲＴＣバッテリ開口部４３、受信機開口部４４、およびスタンド開口部４５の一部は、メインリアカバー２３およびサブリアカバー２４によって覆い隠されている。このため、ファン６２によって生じた空気の流れが、これらの開口部から漏れることは、抑制される。言い換えると、メインリアカバー２３およびサブリアカバー２４は、上記開口部からの空気漏れを遮断する。
【００７４】
なお、メインリアカバー２３およびサブリアカバー２４と、リアフレーム２２の被覆面３４ａとの間に、隙間が生じていても良い。この場合、フロントカバー２１とリアフレーム２２との間を通る空気の流れの一部が、メモリ開口部４１、ストレージ開口部４２、ＲＴＣバッテリ開口部４３、受信機開口部４４、スタンド開口部４５、およびコネクタ開口部４６から流出する。当該流出した空気の流れは、メインリアカバー２３およびサブリアカバー２４とリアフレーム２２の被覆面３４ａとの間の隙間を通る。当該空気の流れは、リアフレーム２２の第１の排気口４８から流出する空気の流れとともに、メインリアカバー２３の第２の排気口９５から筐体１０の外に流出する。言い換えると、ＨＤＤ５３のような発熱する電子部品によって生じた熱気が筐体１０の外部に流出する経路が増える。
【００７５】
テレビ１が有するＨＤＤ５３、受信機５４、メモリ７２、およびＲＴＣバッテリ７４のような電子部品は、例えば、故障時に作業者によって交換され、または性能向上のためにユーザによって交換される。
【００７６】
電子部品の交換の際、メインリアカバー２３およびサブリアカバー２４がリアフレーム２２から外される。これにより、メモリ開口部４１、ストレージ開口部４２、ＲＴＣバッテリ開口部４３、および受信機開口部４４が露出される。
【００７７】
ＨＤＤ５３が交換される場合、ＨＤＤ５３は、例えばＨＤＤ５３を筐体１０の内部に固定するネジを外される。そして、ＨＤＤ５３は、ストレージ開口部４２を通って筐体１０の内部から除去され、代わりに新しいＨＤＤ５３がストレージ開口部４２を通って筐体１０の内部に取り付けられる。
【００７８】
メモリ７２が交換される場合、係止孔８５から、蓋部８１のタブ８４が外される。そして蓋部８１がメモリ開口部４１の外に引き出されることで、メモリ７２が露出される。メモリ７２は、メモリ開口部４１を通って筐体１０の内部から除去され、代わりに新しいメモリ７２がメモリ開口部４１を通ってＰＣＢ５２に実装される。
【００７９】
第１の実施形態のテレビ１によれば、リアフレーム２２の被覆面３４ａに、メモリ開口部４１およびＲＴＣバッテリ開口部４３のような複数の開口部が設けられる。当該開口部は、メモリ７２およびＲＴＣバッテリ７４のような電子部品の着脱に用いられ、当該電子部品を露出および通過させる。
【００８０】
メモリ開口部４１およびＲＴＣバッテリ開口部４３のような上記複数の開口部は、一つのメインリアカバー２３によって覆い隠されている。これにより、例えば、上記複数の開口部をそれぞれ覆う複数の扉をテレビ１に設ける必要がない。
【００８１】
前記開口部をそれぞれ覆う前記扉が設けられると、当該開口部と当該扉との間の切れ目（当該開口部の内縁と当該扉の外縁との間の隙間）や、凹凸が生じる。このような切れ目や凹凸は、テレビ１の美観を損ねる可能性がある。これに対し第１の実施形態のテレビ１は、上述のように一つのメインリアカバー２３が複数の前記開口部を覆い隠すため、前記複数の扉を設ける必要がない。したがって、テレビ１の美観を損ねる前記切れ目や前記凹凸が生じることを抑制でき、テレビ１の美観を向上させることができる。
【００８２】
さらに、メモリ７２およびＲＴＣバッテリ７４のような複数の電子部品を交換する場合、メインリアカバー２３のみをリアフレーム２２から取り外せば、メモリ開口部４１およびＲＴＣバッテリ開口部４３のような複数の開口部が露出する。言い換えると、例えば、当該複数の開口部から、それぞれの前記扉を外す必要がなく、一つのメインリアカバー２３をリアフレーム２２から外すだけで、前記複数の開口部を一度に開放させることができる。これにより、メモリ７２およびＲＴＣバッテリ７４のような電子部品を容易に交換することができ、テレビ１の保守性が向上する。
【００８３】
ファン６２が筐体１０の内部に配置されるとともに、ファン６２が生じさせた空気の流れが、リアフレーム２２およびメインリアカバー２３に設けられた第１および第２の排気口４８，９５を通る。これにより、空気の流れによって、筐体１０の内部のＨＤＤ５３およびメモリ７２のような電子部品を冷却することができる。
【００８４】
さらに、一つのメインリアカバー２３が、メモリ開口部４１およびＲＴＣバッテリ開口部４３のような複数の開口部を覆い隠すため、埃の蓄積による空気の滞留を抑制できる。詳しく述べると、例えば前記開口部を前記扉が塞ぐ場合、当該開口部の内縁と当該扉の外縁との間の隙間から空気が漏れることがある。この場合、当該隙間に、埃が溜まりやすい。埃が蓄積されると、当該埃によって空気の流れが阻害され、筐体１０の内部の冷却効率が低下する。これに対し、第１の実施形態のテレビ１は、一つのメインリアカバー２３が前記複数の開口部を覆い隠す。これにより、埃が溜まりやすい隙間が形成されることが抑制される。したがって、埃の蓄積による空気の滞留を抑制でき、空気の流れによって効率良く筐体１０の内部の前記電子部品を冷却できる。さらに、テレビ１の掃除が容易になる。
【００８５】
メインリアカバー２３は、爪８８と係合孔８９との係合のみによってリアフレーム２２に取り付けられる。このため、メインリアカバー２３に、テレビ１の美観を損ねる例えばネジ孔が設けられることを抑制でき、テレビ１の美観を向上させることができる。
【００８６】
さらに、メインリアカバー２３が係合のみによってリアフレーム２２に取り付けられるため、例えばネジによる取り付けに比べて、メインリアカバー２３とリアフレーム２２との間に隙間が生じやすい。ＨＤＤ５３およびメモリ７２のような電子部品から生じた熱は、空気とともに、メモリ開口部４１およびストレージ開口部４２のような開口部を通って当該隙間から流れ出ることができる。したがって、筐体１０の内部を良好に冷却することができる。
【００８７】
ケースを有するＨＤＤ５３は、筐体１０の下端部１０ｂと、スタンド取付部５１との間に位置する。言い換えると、ケースを有することで比較的重量があるＨＤＤ５３がテレビ１の下部に位置し、テレビ１の重心を下げることができる。
【００８８】
筐体１０の下端部１０ｂとスタンド取付部５１との間に位置するＨＤＤ５３は、リアフレーム２２およびメインリアカバー２３に設けられたストレージ開口部４２およびストレージ露出口９３によって露出される。サブリアカバー２４が、ストレージ開口部４２およびストレージ露出口９３を塞ぐ。
【００８９】
例えばテレビ１の機種によってＨＤＭＩコネクタ８６が有る、または無い場合がある。サブリアカバー２４は、メインリアカバー２３とは別の部材として形成されている。このため、コネクタ用孔９７を有するサブリアカバー２４と、コネクタ用孔９７を有さないサブリアカバー２４とを作り分けることができる。これにより、メインリアカバー２３とサブリアカバー２４とを一体に形成するよりも、テレビ１の製造コストを低減できる。
【００９０】
ストレージ露出口９３の内縁と、サブリアカバー２４の外縁との間の隙間に、埃が溜まる可能性はある。しかしながら、ＨＤＤ５３はケースを有するため、当該埃や埃によって生じる温度上昇の影響を、例えばケースを有さないメモリ７２に比べて、受け難い。このため、テレビ１の不具合を抑制できる。
【００９１】
ネジ３１によって、リアフレーム２２はフロントカバー２１に固定される。ネジ３１が通るネジ孔３７はテレビ１の美観を損なう可能性がある。しかしながら、メインリアカバー２３がネジ孔３７を覆い隠す。これにより、テレビ１の美観を向上させることができる。
【００９２】
メインリアカバー２３の内側において、メモリ開口部４１が蓋部８１によって覆われる。これにより、メインリアカバー２３が外された際、例えばユーザが不用意にメモリ７２に触れて、静電気によってメモリ７２が損傷することを抑制できる。
【００９３】
第２のスタンド１３が通るストレージ露出口９３は、メインリアカバー２３の外縁に開放される切欠きである。このため、リアフレーム２２の被覆面３４ａから第２のスタンド１３が突出していたとしても、メインリアカバー２３を容易にリアフレーム２２に取り付けることができる。
【００９４】
サブリアカバー２４の一対の側縁２４ａは、第２のスタンド１３の一対の側縁１３ａと、大よそ重なる位置に設けられている。このため、サブリアカバー２４が設けられたとしても、ストレージ露出口９３の内縁と、サブリアカバー２４の側縁２４ａとの間の隙間が目立たなくなる。したがって、テレビ１の美観が向上する。
【００９５】
次に、第２の実施の形態について説明する。なお、以下に開示する実施形態において、第１の実施形態のテレビ１と同様の機能を有する構成部分には同一の参照符号を付す。さらに、当該構成部分については、その説明を一部または全て省略することがある。
【００９６】
第２の実施形態のテレビ１の形状および配置は、第１の実施形態のテレビ１と同じである。このため、第２の実施形態は、第１の実施形態の図１ないし図１０を参照して説明される。第２の実施形態のサブリアカバー２４は、ストレージ開口部４２およびストレージ露出口９３を介して、ＨＤＤ５３に面している。
【００９７】
サブリアカバー２４は、メインリアカバー２３よりも軟らかい部材によって形成されている。すなわち、第２の実施形態のサブリアカバー２４は、緩衝部の一例である。なお、サブリアカバー２４は、例えばスポンジまたはゴムのような、サブリアカバー２４とは別個の緩衝部を有しても良い。
【００９８】
第２の実施形態のサブリアカバー２４は、ＨＤＤ５３に面するとともに、メインリアカバー２３よりも軟らかい。このため、ＨＤＤ５３が衝撃によって損傷することを抑制できる。
【００９９】
以上述べた少なくとも一つのテレビジョン受像装置によれば、電子部品を露出させるとともに当該電子部品が通過可能な複数の開口部を、一つの第３のカバーが覆い隠す。これにより、テレビジョン受像装置の美観を向上させることができる。
【０１００】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【０１０１】
例えば、図２に示すように、第１の実施形態のメインリアカバー２３は、露出されたＯＤＤ５６の一部（ベゼル）が嵌る切欠きを有している。ＯＤＤ５６の当該ベゼルを、図３に示すフロントカバー２１とリアフレーム２２との境界部分に接するように配置することで、メインリアカバー２３から切欠きを除くことができる。このようなメインリアカバー２３は、テレビ１の美観をさらに向上させることができる。
【符号の説明】
【０１０２】
１…テレビ、１０…筐体、１０ａ…表示開口、１０ｂ…下端部、１１…液晶ディスプレイ（ＬＣＤ）、１１ａ…表示面、１３…第２のスタンド、２１…フロントカバー、２２…リアフレーム、２３…メインリアカバー、２４…サブリアカバー、３１…ネジ、３４ａ…被覆面、３７…ネジ孔、４１…メモリ開口部、４２…ストレージ開口部、４３…ＲＴＣバッテリ開口部、４４…受信機開口部、４５…スタンド開口部、４８…第１の排気口、５１…スタンド取付部、５３…ハードディスクドライブ（ＨＤＤ）、５４…受信機、６２…ファン、７２…メモリ、７４…ＲＴＣバッテリ、８１…蓋部、８８…爪、８９…係合孔、９３…ストレージ露出口、ＡＦ１，ＡＦ２，ＡＦ３，ＡＦ４…空気の流れ。
【図１】
2014216776.tif 000003
【図２】
2014216776.tif 000004
【図３】
2014216776.tif 000005
【図４】
2014216776.tif 000006
【図５】
2014216776.tif 000007
【図６】
2014216776.tif 000008
【図７】
2014216776.tif 000009
【図８】
2014216776.tif 000010
【図９】
2014216776.tif 000011
【図１０】
2014216776.tif 000012